(57)【要約】【課題】  本発明は、装置を流通させる空気の流通方向の方向転換を行うことができ、クリーンベンチとクリーンドラフトの両方の機能を発揮させることができる卓上空気清浄装置を提供することを目的とする。【解決手段】  本発明の卓上空気清浄装置は、対向する両面に開口部を設けた枠体を備え、前記枠体の一方の開口部に、空気の流通方向の方向転換を可能とする着脱自在な取付構造によりファンを設け、前記枠体の他方の開口部に、空気の流通方向の方向転換を可能とする着脱自在な取付構造によりフィルタを設け、前記枠体のフィルタを設けた開口部全体を覆うように、前記枠体の外側に作業空間構成用のフードを設けたことを特徴とする。【選択図】  図１
2006187687.tif 000002
【特許請求の範囲】
【請求項１】
対向する両面に開口部を設けた枠体を備え、前記枠体の一方の開口部に、空気の流通方向の方向転換を可能とする着脱自在な取付構造によりファンを設け、前記枠体の他方の開口部に、空気の流通方向の方向転換を可能とする着脱自在な取付構造によりフィルタを設け、前記枠体のフィルタを設けた開口部全体を覆うように、前記枠体の外側に作業空間構成用のフードを設けたことを特徴とする卓上空気清浄装置。
【請求項２】
前記ファンの取付構造が、前記ファンの上流側と下流側に設けた２つのフランジと、該フランジを介して前記枠体に前記ファンを固定する固定部材からなることを特徴とする請求項１記載の卓上空気清浄装置。
【請求項３】
前記フィルタの取付構造が、前記フィルタを構成するフィルタ枠に設けた固定部と、前記フィルタ枠の上流側と下流側に設けたガスケットと、前記固定部を介して前記枠体に前記フィルタを固定する固定部材からなることを特徴とする請求項１又は２記載の卓上空気清浄装置。
【請求項４】
前記ファンが軸流ファンであることを特徴とする請求項１乃至３のいずれかに記載の卓上空気清浄装置。
【発明の詳細な説明】
【技術分野】
【０００１】
本発明は、空気の流通方向の方向転換が可能であり、クリーンベンチとしても、クリーンドラフトとしても使用することが可能である卓上空気清浄装置に関する。
【背景技術】
【０００２】
従来より、作業空間の空気を清浄化するための装置として、クリーンベンチやクリーンドラフトが知られている。
例えば、特許文献１には、図３に示すような、前方に開口を有したケーシング１７の内部に、ケーシング１７と所定間隔を隔てて内装パネル１８を取り付け、内装パネル１８内を作業空間としたクリーンベンチ２０が開示されている。このクリーンベンチ２０は、ケーシング１７の天井部に、高性能フィルタ２１が固定されており、高性能フィルタ２１の上流側には、シロッコファン２２が設けられている。
【０００３】
また、特許文献２には、図４（ａ）又は図４（ｂ）に示すような、薄いパネル状のケーシング２５の内部に、ファン２６を設けたファンユニットと、薄いパネル状のケーシング２８の内部に、フィルタ２７を設けたフィルタユニットが縦方向に接続されたファンフィルタユニット２４が開示されている。このファンフィルタユニット２４は、例えば、図４（ａ）に示すように、ファンを設けたファンユニットを上方に配置し、前記ファンユニットにフード２９を設け、フード２９内の汚染された空気を外部に排出するクリーンドラフトとして使用することができる。また、図４（ｂ）に示すように、ファンユニットとフィルタユニットの配置を上下逆転させ、上方にフィルタを設けたフィルタユニットを配置し、前記フィルタユニットにフード２９を設け、フード２９内に清浄化した空気を吹き出すクリーンベンチとして使用することができる。
【特許文献１】特開２０００−９３８１４号公報
【特許文献２】特許第３０６２６９３号公報
【発明の開示】
【発明が解決しようとする課題】
【０００４】
ところで、クリーンベンチは、外部の空気を清浄化して作業空間に吹き出す装置であり、一方、クリーンドラフトは、作業空間の汚染された空気を吸い込んで、清浄化して外部に吹き出す装置である。クリーンベンチやクリーンドラフトはともに、ファンとフィルタを備えており、構成が似ているにも関わらず、作業空間内へ流通させる空気の流通方向が逆である。通常、ファンとフィルタは、空気を吸い込み吹き出す、空気の流通方向が一方向に定まっている。このため、例えば、特許文献１に開示されたクリーンベンチのように、ファンとフィルタがケーシングに固定されている装置にあっては、空気の流通方向が逆転するクリーンドラフトとして用いることができない。また、特許文献２に開示されたファンフィルタユニットにあっては、ファンフィルタユニット自体を上下逆転させて、上方に配置されたファンユニット又は上方に配置されたフィルタユニットの位置に合わせて、高い位置にフードを設け、このフードの位置に合わせて机等を設置する必要があり、卓上でファンフィルタユニットを使用できないという問題があった。
そこで、本発明は、装置を流通させる空気の流通方向の方向転換を行うことができ、クリーンベンチとクリーンドラフトの両方の機能を発揮させることができる卓上空気清浄装置を提供することを目的とする。
【課題を解決するための手段】
【０００５】
本発明の卓上空気清浄装置は、請求項１記載の通り、対向する両面に開口部を設けた枠体を備え、前記枠体の一方の開口部に、空気の流通方向の方向転換を可能とする着脱自在な取付構造によりファンを設け、前記枠体の他方の開口部に、空気の流通方向の方向転換を可能とする着脱自在な取付構造によりフィルタを設け、前記枠体のフィルタを設けた開口部全体を覆うように、前記枠体の外側に作業空間構成用のフードを設けたことを特徴とする。
また、請求項２記載の卓上空気清浄装置は、請求項１記載の卓上空気清浄装置において、前記ファンの取付構造が、前記ファンの上流側と下流側に設けた２つのフランジと、該フランジを介して前記枠体に前記ファンを固定する固定部材からなることを特徴とする。
また、請求項３記載の卓上空気清浄装置は、請求項１又は２記載の卓上空気清浄装置において、前記フィルタの取付構造が、前記フィルタを構成するフィルタ枠に設けた固定部と、前記フィルタ枠の上流側と下流側に設けたガスケットと、前記固定部を介して前記枠体に前記フィルタを固定する固定部材からなることを特徴とする。
また、請求項４記載の卓上空気清浄装置は、請求項１乃至３のいずれかに記載の卓上空気清浄装置において、前記ファンが軸流ファンであることを特徴とする。
【発明の効果】
【０００６】
本発明の卓上空気清浄装置は、ファンから空気を吸い込んで、フィルタから清浄化した空気を作業空間構成用のフード内に吹き出す、クリーンベンチとして用いることができる。また、本発明の卓上空気清浄装置は、空気の流通方向が逆転するように、前記ファンとフィルタを前記枠体に取り付けることができ、作業空間構成用のフード内の空気をフィルタから吸い込んで、フィルタで清浄化した空気をファンから吹き出す、クリーンドラフトとして用いることもできる。
このように、本発明の卓上空気清浄装置は、用途に応じてクリーンベンチとクリーンドラフトの両方の機能を発揮させることができる。
【発明を実施するための最良の形態】
【０００７】
図１に基づいて、本発明の一実施の形態について説明する。
図１に示すように、本発明の卓上空気清浄装置１は、枠体２の対向する一方の側には、中央に開口部２ａを形成した枠体２の周囲から内方に向けて突出するファン取付用フランジ部２ｂを設けている。枠体２の対向する他方の側には、中央に開口部２ｃを形成した枠体２の周囲から内方に突出するフィルタ取付用フランジ部２ｄを設けている。
【０００８】
枠体２のファン取付用フランジ部２ｂには、中央に開口部３ａを設けたファン用取付板３をボルトで固定している。ファン用取付板３に設けた開口部３ａの四隅付近には、枠体２内の空気を外部に漏らさないように、底部が閉塞され、内部に羅溝を設けたナットサート１０を枠体２の外方に突出するように設けている。
ファン５には、ファン５の上流側にボルト孔を有する上流側フランジ５ａを設け、ファン５の下流側にもボルト孔を有する下流側フランジ５ｂを設けている。ファン５は、枠体２の内部から上流側フランジ５ａのボルト孔に、固定部材であるボルト１１を挿通させ、ボルト１１をファン用取付板３に設けたナットサート１０に羅合させて、ファン用取付板３を介して、ファン５を枠体２の開口部２ｃに取り付けている。
ファン５は、ファン５自体を反転させることにより、空気の流通方向を簡単に逆転させることが可能である、軸流ファンを用いることが好ましい。
【０００９】
フィルタ取付用フランジ部２ｄの開口部２ｃの四隅付近には、枠体２内の空気を外部に漏らさないように、底部が閉塞され、内部に羅溝を設けたナットサート１２を枠体２の内方に突出するように設けている。
フィルタ７は、ジグザグ状に折り畳まれた濾材の間隔をセパレータ又はリボン材で保持したフィルタパック６と、フィルタパック６の上流側と下流側のそれぞれに設けたラス網８ａ、８ｂと、フィルタパック６とラス網８ａ，８ｂを収容するフィルタ枠６ａから構成されている。フィルタ枠６ａには、固定部材であるボルトを通して、フィルタ７を枠体２に固定させる固定部である通孔６ｂを設けている。また、フィルタ枠６ａには、上流側の外面にガスケット９ｂを設け、下流側の外面にガスケット９ａを設けている。フィルタ枠６ａの通孔６ｂに下流側からボルト１３が挿通され、このボルト１３をナットサート１２に羅合させて、フィルタ７が枠体２に固定される。この場合、上流側のガスケット９ｂは、フィルタ取付用フランジ部２ｄに圧着されている。
【００１０】
また、枠体２のフィルタ取付用フランジ部２ｄには、枠体２の外側に、開口部２ｃの全体を覆うように、作業空間構成用のフード１４がヒンジ１５で開閉可能となるように取り付けられている。フード１４は、その下端が、枠体２の下端と同位置となるように取り付けられており、机１６等の卓上に設置することができる。
【００１１】
卓上空気清浄装置１は、清浄化された空気を作業空間内に吹き出すクリーンベンチとして使用することができる。即ち、図１中、矢印で示すように、卓上空気清浄装置１は、ファン５から空気を吸い込んで、フィルタ７から清浄化した空気をフード１４内の吹き出し、フード１４内の作業空間を清浄化することができる。尚、フード１４を開放した状態で作業を行った場合であっても、フィルタ７から吹き出される空気によって、フード１４内が陽圧になっているため、外部の空気が作業空間に流入して、作業空間が汚染されることはない。例えば、フード１４内の作業空間で無菌操作を行う場合に、卓上空気清浄装置１をクリーンベンチとして使用することができる。
【００１２】
次に、卓上空気清浄装置１をクリーンドラフトとして使用する場合を、図２を参照に説明する。
先ず、ボルト１３を取り外し、フィルタ７を枠体２から取り外す。また、ボルト１１を取り外し、ファン５をファン用取付板３から取り外す。
次に、ファン５を反転させ、枠体２の内部から下流側フランジ５ｂのボルト孔に、ボルト１１を挿通させ、ボルト１１をナットサート１０に羅合させて、ファン用取付板３を介して、ファン５を枠体２に取り付ける。次に、フィルタ７を反転させ、上流側からフィルタ枠６ａの通孔６ｂにボルト１３を挿通させ、ボルト１３をナットサート１２に羅合させて、フィルタ７を枠体２に取り付ける。
【００１３】
このように、ファン５とフィルタ７を反転させて、枠体２に取り付けた場合は、作業空間内の汚染された空気を外部へ清浄化して吹き出すクリーンドラフトとして、卓上空気清浄装置１を使用することができる。図２に示すように、卓上空気清浄装置１は、フード１４内の作業空間の汚染された空気をフィルタ７から吸い込み、フィルタ７で清浄化された空気をファン５から外部へ吹き出すことができる。クリーンドラフトとして卓上空気清浄装置１を使用する場合、空気の流通方向は、クリーンベンチとして使用する場合と逆となる。尚、フード１４を押し上げて、フード１４を開放した状態で作業を行った場合であっても、フィルタ７に空気が吸い込まれることによって、フード１４内が陰圧となっているため、作業空間内の汚染された空気が外部に漏れ出ることはない。例えば、フード１４内の作業空間で有害な薬剤の調合や有害細菌等を扱う場合に、卓上空気清浄装置１をクリーンドラフトとして使用することができる。
【００１４】
尚、図１及び図２に示す実施の形態においては、ファン５を枠体２の内部に設け、フィルタ６を枠体２の外部に設けた場合を示したが、ファンを枠体の外部に設け、フィルタを枠体の内部に設けた形態としてもよく、ファンとフィルタの両方を枠体の内部に設けた形態としてよい。
【図面の簡単な説明】
【００１５】
【図１】本発明の卓上空気清浄装置の一実施の形態の概略構成を示す説明図
【図２】図１に示す卓上空気清浄装置の空気の流通方向を変化させた状態を示す図
【図３】従来のクリーンベンチの概略構成を示す説明図
【図４】（ａ）従来のファンフィルタユニットをクリーンドラフトとして使用する状態を示す説明図、（ｂ）従来のファンフィルタユニットをクリーンベンチとして使用する状態を示す説明図
【符号の説明】
【００１６】
１    卓上空気清浄装置
２    枠体
２ａ  ファン取付用フランジ部
２ｂ  開口部
２ｃ  開口部
２ｄ  フィルタ取付用フランジ部
３    ファン用取付板
３ａ  開口部
５    ファン
５ａ  上流側フランジ
５ｂ  下流側フランジ
６    フィルタパック
６ａ  フィルタ枠
６ｂ  通孔
７    フィルタ
８ａ  上流側のラス網
８ｂ  下流側のラス網
９ａ  上流側のガスケット
９ｂ  下流側のガスケット
１０  ナットサート
１１  ボルト
１２  ナッサート
１３  ボルト
１４  フード
１５  ヒンジ
１６  机
１７  ケーシング
１８  内装パネル
２０  クリーンベンチ
２１  高性能フィルタ
２２  シロッコファン
２４  ファンフィルタユニット
２５  ケーシング
２６  ファン
２７  フィルタ
２８  ケーシング
２９  フード
【図１】
2006187687.tif 000003
【図２】
2006187687.tif 000004
【図３】
2006187687.tif 000005
【図４】
2006187687.tif 000006